(57)【要約】【課題】魚釣り用リールの左側面を左手で握持しつつ右手の手のひらでハンドルノブを握り締め、ハンドルアームにハンドルノブを連結するハンドルノブ支持軸部の上側に右手の親指を配置し、ハンドルノブ支持軸部の下側に右手の人差し指を配置する関係にてハンドルを回転させ、右手の人差し指または親指がハンドルアーム側へ移動しても、ハンドルアームのエッジ部分で負傷することを防止する。【解決手段】右手の人差し指及び親指がハンドルアーム側へ移動するのを防止するために、ハンドルノブ支持軸部のハンドルアームに近接する部分の外周に、釣り糸巻き取り回転中常時ハンドルアームの先端よりも外方へ張り出す大きさに拡大する環状の指移動阻止部を形成し、人差し指がハンドルアーム側に移動したとき人差し指がハンドルアームのエッジ部分で負傷しないようにするために、ハンドルによる釣り糸巻き取り回転方向の後ろ側となるハンドルアームの端部に、ハンドルノブから遠ざかる傾斜面の指受け部を形成する。【選択図】図１
2014064494.tif 000002
【特許請求の範囲】
【請求項１】
リール本体に支持されたスプールへハンドルの回転によって釣り糸を巻き取る魚釣り用リールにおいて、前記ハンドルは、ハンドル軸の外側端部に基部が固定されたハンドルアームと、手のひらで握持するタイプのハンドルノブ（握り部）を備え、前記ハンドルノブ（握り部）が前記ハンドルアームの先端部に取付けたハンドルノブ支持軸部でもって回転自在に支持された構成であり、
前記ハンドルノブ（握り部）は、両端間の中間部が前記ハンドルノブ支持軸部の先端に前記ハンドルノブ支持軸部と交差状態を保ちつつ回転自在に結合された棒状体を構成し、
前記ハンドルノブ支持軸部は、前記ハンドルノブ（握り部）を握持する手の親指と人差し指にて挟み持つことが可能な大きさと長さを備え、
前記ハンドルノブ支持軸部の前記ハンドルアームに近接する部分の外周に、釣り糸巻き取り回転中常時前記ハンドルアームの先端よりも外方へ張り出す大きさに拡大された環状の指移動阻止部を形成すると共に、前記ハンドルノブ支持軸部が取り付けられた側の前記ハンドルアームの面の端縁のうち、釣り糸巻き取り回転方向の後ろ側となる端縁に、前記ハンドルノブ（握り部）から遠ざかる方向へ傾斜する指受け部を膨出形成したことを特徴とするハンドル装置。
【請求項２】
リール本体に支持されたスプール軸に回転自在に支持されたスプールと、前記スプールの釣り糸繰り出し方向回転のドラグ力を調整するドラグ機構と、前記ドラグ機構を介して前記スプールを回転駆動する歯車装置と、前記歯車装置を回転駆動するハンドル軸を回転させるためのハンドルを備え、前記ハンドル軸の外側端部にハンドルアームの基部が固定され、手のひらで握持するタイプのハンドルノブ（握り部）が前記ハンドルアームの先端部に取付けたハンドルノブ支持軸部でもって回転自在に支持された両軸受けリールにおいて、
前記ハンドルノブ（握り部）は、両端間の中間部が前記ハンドルノブ支持軸部の先端に前記ハンドルノブ支持軸部と交差状態を保ちつつ回転自在に結合された棒状体を構成し、
前記ハンドルノブ支持軸部は、前記ハンドルノブ（握り部）を握持する手の親指と人差し指にて挟み持つことが可能な大きさと長さを備え、
前記ハンドルノブ支持軸部の前記ハンドルアームに近接する部分の外周に、釣り糸巻き取り回転中常時前記ハンドルアームの先端よりも外方へ張り出す大きさに拡大された環状の指移動阻止部を形成すると共に、前記ハンドルノブ支持軸部が取り付けられた側の前記ハンドルアームの面の端縁のうち、釣り糸巻き取り回転方向の後ろ側となる端縁に、前記ハンドルノブ（握り部）から遠ざかる方向へ傾斜する指受け部を膨出形成したことを特徴とするハンドル装置。
【請求項３】
前記ハンドルノブ支持軸部の外形は断面が円形状であり、前記指移動阻止部は、前記ハンドルノブ支持軸部が取り付けられる前記ハンドルアームの先端部よりも外側へ１ｍｍ以上張り出す大きさの外径でもって円形状に形成され、且つ、前記指受け部は、前記ハンドルアームに対する前記指移動阻止部の投影範囲に前記指受け部の一端が掛かる状態で、前記ハンドル軸方向へ寄った位置に形成されたことを特徴とする請求項１または請求項２に記載のハンドル装置。
【請求項４】
前記ハンドルノブ支持軸部の外形は断面が円形状または長円形状であり、前記指移動阻止部は、ハンドルノブ（握り部）を握持する手の親指と人差し指にて挟み持つ部分の前記ハンドルノブ支持軸部の外径の１．３〜２．５倍に徐々に拡大する形状であり、前記指受け部は、前記ハンドルアームの端縁から連続して弧状に膨出しこの弧状全体が前記傾斜面をなすことを特徴とする請求項１乃至３のいずれかに記載のハンドル装置。
【発明の詳細な説明】
【技術分野】
【０００１】
本発明は、魚釣り用リールのハンドル装置に関し、特に、リールを回転させるためのハンドルの操作性を向上させた魚釣り用リールのハンドル装置に関する。
【背景技術】
【０００２】
魚釣り用リールには、スピニングリールや両軸受けリールがあり、特に両軸受けリールは、ジギング釣りやトローリング釣り等の大物釣りに適するように設計され、釣り糸巻き取り用ハンドル装置も十分な強度を有し、操作性にも優れた構成に設計される必要がある。ジギング釣り等の両軸受けリールは、スプールへの釣り糸巻き取り用ハンドルを支持するハンドル軸がスプール軸と平行に配置され、スプール軸と同軸上にドラグ機構の摩擦係合部及びドラグ機構の調整用レバーを配置したレバードラグ式両軸受けリールは公知である（例えば、特許文献１）。
また、ジギング釣りやトローリング釣り等の大物釣りに適するように設計される両軸受けリールの他の形態として、ハンドル軸と同軸上にドラグ機構及びドラグ機構の調整つまみを配置したものがあり、これも公知である。更に、スピニングリールも公知である。
【０００３】
両軸受けリールにおいて、ハンドルを回転させる際に、ハンドルアームにおける取付け軸寄りの前側縁に、ハンドルノブを握った手の親指が当たり、その親指の指先にせん断作用が生じて指先が腫れ上がるという問題がある。これを防止するために、取付け軸の長さを長くして、ハンドルノブを握り締めた手の親指が、ハンドルアームに接触しないようにすることが考えられるが、その場合、ハンドルを回転する力がハンドルアームに伝わらないこととなる。それを避けるために取付け軸の長さを制限した場合、ハンドルアームにおける取付け軸寄りの前側縁に、ハンドルノブを握った手の親指が当たる問題が生じる。この親指の負傷を防止するために、ハンドルアーム前側縁を斜めに切断して指当たり緩衝部としたものがある（例えば、特許文献２）。
【先行技術文献】
【特許文献】
【０００４】
【特許文献１】特開２００１−１４８９７５号公報
【特許文献２】特開平１１−３３２４３４号公報
【発明の概要】
【発明が解決しようとする課題】
【０００５】
特許文献２のものは、取付け軸の長さを制限した場合、ハンドルアームにおける取付け軸寄りの前側縁に、ハンドルノブを握った手の親指が移動して当たることを前提とし、それによって生じる親指の負傷を防止するものである。
【０００６】
ブラックバス釣り等のように操作性が要求される釣りや、ジギング釣りやトローリング釣り等の大物釣りに適するように設計された両軸受けリールは、魚が掛かった際にスプールへ釣り糸を巻き取る際には、大きな力でハンドルを回転させることが必要である。そのために、前記取付け軸の長さは、十分な強度を保つようにするためにある程度制限され、その構成でもって、特許文献２の図６に示すように、ハンドルノブを手のひらで包み込むようにして握り締め、且つ、ハンドルアームにハンドルノブを連結する取付け軸の上側または後ろ側に、ハンドルノブを握り締めた手の親指を配置し、前記取付け軸の下側または前側にハンドルノブを握り締めた手の人差し指を配置する関係でもって、親指と人差し指で取付け軸を挟んだ状態でハンドルを回転させることが一般的である。
【０００７】
本発明は、このように、ハンドルノブを握り締めた状態で操作される両軸受けリールにおいて、ハンドルの正規の回転操作時に、強い力で安定したハンドル回転が得られるように前記取付け軸の長さを適宜の長さに設定した場合、特許文献２のように、ハンドルアームにおける取付け軸寄りの前側縁に、ハンドルノブを握った手の親指が移動して負傷することを前提とするものではなく、むしろ、ハンドルノブを握った手の人差し指が受ける負傷を防止することを主眼とするものであり、本発明は、特許文献２とは基本的な発想を異にするものである。
【０００８】
即ち、本発明は、ハンドルアームにハンドルノブを連結する取付け軸の長さはある程度制限される構成でもって、ハンドルノブを手のひらで包み込むようにして握り締め、且つ、ハンドルアームにハンドルノブを連結する取付け軸を、ハンドルノブを握り締めた手の親指と人差し指で挟んだ状態で、ハンドルを回転させることに適するハンドルを備えた構成であること。
【０００９】
そして、ハンドルノブを握り締めた手の人差し指が、ハンドルアーム側に移動してハンドルアームに接触しないようにするために、前記取付け軸部のハンドルアームに近接する部分の外周に第１の保護手段を設ける。この第１の保護手段が、釣り糸巻き取り回転中常時ハンドルアームの先端よりも外側に張り出す大きさに拡大する環状の指移動阻止部によって達成されるものである。
そして万一、ハンドルノブを握った手の人差し指がハンドルアーム側に移動したときにも、人差し指がハンドルアームのエッジ部分で負傷しないようにするために第２の保護手段をハンドルアームの端部に設ける。この第２の保護手段は、ハンドルによる釣り糸巻き取り回転方向の後ろ側となるハンドルアームの端部に、ハンドルノブから遠ざかる傾斜面を形成した指受け部によって達成されるものである。
【００１０】
これによって、強い力で安定したハンドル回転が得られると共に、ハンドルノブを握った手の人差し指が、ハンドルアームによって負傷しないようにできるものである。更にこの構成によって、ハンドルノブを握った手の親指の保護もできる効果を奏するものである。
【００１１】
このような作用効果を奏するハンドル装置は、強い力で安定したハンドル回転が求められる両軸受けリールに適用して有効であり、また、比較的小さな魚釣りに適するスピニングリールに適用しても有効であるため、本発明は、両軸受けリール及びスピニングリールのいずれにも適用可能なハンドル装置を提供するものである。
【課題を解決するための手段】
【００１２】
第１発明は、リール本体に支持されたスプールへハンドルの回転によって釣り糸を巻き取る魚釣り用リールにおいて、前記ハンドルは、ハンドル軸の外側端部に基部が固定されたハンドルアームと、手のひらで握持するタイプのハンドルノブ（握り部）を備え、前記ハンドルノブ（握り部）が前記ハンドルアームの先端部に取付けたハンドルノブ支持軸部でもって回転自在に支持された構成であり、
前記ハンドルノブ（握り部）は、両端間の中間部が前記ハンドルノブ支持軸部の先端に前記ハンドルノブ支持軸部と交差状態を保ちつつ回転自在に結合された棒状体を構成し、
前記ハンドルノブ支持軸部は、前記ハンドルノブ（握り部）を握持する手の親指と人差し指にて挟み持つことが可能な大きさと長さを備え、
前記ハンドルノブ支持軸部の前記ハンドルアームに近接する部分の外周に、釣り糸巻き取り回転中常時前記ハンドルアームの先端よりも外方へ張り出す大きさに拡大された環状の指移動阻止部を形成すると共に、前記ハンドルノブ支持軸部が取り付けられた側の前記ハンドルアームの面の端縁のうち、釣り糸巻き取り回転方向の後ろ側となる端縁に、前記ハンドルノブ（握り部）から遠ざかる方向へ傾斜する指受け部を膨出形成したことを特徴とするハンドル装置である。
【００１３】
第２発明は、リール本体に支持されたスプール軸に回転自在に支持されたスプールと、前記スプールの釣り糸繰り出し方向回転のドラグ力を調整するドラグ機構と、前記ドラグ機構を介して前記スプールを回転駆動する歯車装置と、前記歯車装置を回転駆動するハンドル軸を回転させるためのハンドルを備え、前記ハンドル軸の外側端部にハンドルアームの基部が固定され、手のひらで握持するタイプのハンドルノブ（握り部）が前記ハンドルアームの先端部に取付けたハンドルノブ支持軸部でもって回転自在に支持された両軸受けリールにおいて、
前記ハンドルノブ（握り部）は、両端間の中間部が前記ハンドルノブ支持軸部の先端に前記ハンドルノブ支持軸部と交差状態を保ちつつ回転自在に結合された棒状体を構成し、
前記ハンドルノブ支持軸部は、前記ハンドルノブ（握り部）を握持する手の親指と人差し指にて挟み持つことが可能な大きさと長さを備え、
前記ハンドルノブ支持軸部の前記ハンドルアームに近接する部分の外周に、釣り糸巻き取り回転中常時前記ハンドルアームの先端よりも外方へ張り出す大きさに拡大された環状の指移動阻止部を形成すると共に、前記ハンドルノブ支持軸部が取り付けられた側の前記ハンドルアームの面の端縁のうち、釣り糸巻き取り回転方向の後ろ側となる端縁に、前記ハンドルノブ（握り部）から遠ざかる方向へ傾斜する指受け部を膨出形成したことを特徴とするハンドル装置である。
【００１４】
第３発明は、第１発明または第２発明において、前記ハンドルノブ支持軸部の外形は断面が円形状であり、前記指移動阻止部は、前記ハンドルノブ支持軸部が取り付けられる前記ハンドルアームの先端部よりも外側へ１ｍｍ以上張り出す大きさの外径でもって円形状に形成され、且つ、前記指受け部は、前記ハンドルアームに対する前記指移動阻止部の投影範囲に前記指受け部の一端が掛かる状態で前記ハンドル軸方向へ延びたことを特徴とする。
【００１５】
第４発明は、第１発明乃至第３発明のいずれかにおいて、前記ハンドルノブ支持軸部の外形は断面が円形状または長円形状であり、前記指移動阻止部は、ハンドルノブ（握り部）を握持する手の親指と人差し指にて挟み持つ部分の前記ハンドルノブ支持軸部の外径の１．３〜２．５倍に徐々に拡大する形状であり、前記指受け部は、前記ハンドルアームの端縁から連続して弧状に膨出しこの弧状全体が前記傾斜をなすことを特徴とする。
【発明の効果】
【００１６】
第１発明及び第２発明のいずれにおいても、指移動阻止部は、ハンドルノブを握り締めた手の人差し指及びまたは親指が、ハンドルアーム側に移動するのを阻止する作用を果たすことは勿論であるが、指移動阻止部がハンドルアームの先端以上に外側に張り出す大きさに拡大する環状であるため、もし人差し指及びまたは親指が指移動阻止部を乗り越えても、ハンドルアームの先端に接触して負傷することを防止できる。また、釣り糸巻き取り方向の後ろ側となるハンドルアームの端部には、ハンドルノブから遠ざかる方向へ傾斜する指受け部が形成されているため、ハンドルノブを握った手の人差し指がハンドルアーム側に移動したときにも、その人差し指がこの指受け部で支えられることにより、ハンドルアームのエッジ部分や、ハンドルアームとリール本体との間に挟まれて負傷することが防止できる。更に、指受け部がハンドルノブから遠ざかる方向へ傾斜しているため、人差し指がこの指受け部のエッジで負傷することが防止できる。これによって、ハンドルノブ支持軸部を親指と人差し指で挟み持つ状態を維持して強い力で安定したハンドル回転が得られると共に、ハンドルノブを握った手の人差し指及びまたは親指が、ハンドルアームによって負傷することが防止できる効果が得られるものである。このため、両軸受けリール及びスピニングリールのいずれにも適用可能なハンドル装置を提供できることとなる。
【００１７】
第３発明は、第１発明及び第２発明に係る効果を奏すると共に、指移動阻止部は、ハンドルノブ支持軸部が取り付けられるハンドルアームの先端部よりも外側へ１ｍｍ以上張り出す大きさであるため、もし人差し指及びまたは親指が指移動阻止部を乗り越えても、ハンドルアームの先端に接触して負傷することを防止できる。また、指受け部は、ハンドルアームに対する指移動阻止部の投影範囲に指受け部の一端が掛かる状態でハンドル軸方向へ寄った位置に形成されることにより、もし人差し指が指移動阻止部を乗り越えても、その人差し指は指受け部で受け止められるため、指受け部のエッジで負傷することが防止できる。なお、もし親指が指移動阻止部を乗り越えても、その親指は指受け部のエッジで負傷することが防止できることとなる。
【００１８】
第４発明は、第１発明乃至第３発明に係る効果を奏すると共に、指移動阻止部によって、ハンドルノブ支持軸部を親指と人差し指で挟み持つ状態を維持でき、ハンドルノブを握った手の人差し指がハンドルアーム側に移動し難い状態を維持できることとなる。また、弧状の指受け部は全体が傾斜面をなすことにより、人差し指がこの指受け部のエッジで負傷することを効果的に防ぐことができる。
【図面の簡単な説明】
【００１９】
【図１】本発明の実施形態に係るレバードラグ式リールを上面から見た平面図である。
【図２】本発明に係るレバードラグ式リールのハンドルアームの先端部とハンドルノブ支持軸部との連結部の拡大図である。
【図３】本発明に係るレバードラグ式リールの釣り竿の竿先方向に向かって左側の側面図（正面視では右側面図）である。
【図４】本発明に係るレバードラグ式リールの釣り竿の竿先方向に向かって右側の側面図（正面視では左側面図）である。
【図５】本発明に係るレバードラグ式リールのハンドルアームの側面図である。
【図６】図５のＡ−Ａ断面図である。
【図７】本発明に係るレバードラグ式リールの内部構造を示す要部断面図である。
【図８】本発明の実施形態に係るレバードラグ式リールを釣り竿に取付けた状態の正面斜視図である。
【図９】本発明に係る第１カムの図であり、（イ）は第１カムの側面図、（ロ）は第１カムのカム面の平面図、（ハ）は第１カムのカム面の展開図である。
【図１０】本発明に係る第２カムの図であり、（イ）は第２カムのカム面の平面図、（ロ）は（イ）のＢ−Ｂ断面図である。
【図１１】図１の状態においてレバードラグ式リールの上面から見た平面図においてハンドルノブを握った状態の説明図である。
【図１２】本発明に係るレバードラグ式リールのハンドルノブを握った状態の説明図である。
【図１３】本発明に係るレバードラグ式リールのハンドルノブを握った状態の説明図である。
【発明を実施するための形態】
【００２０】
本発明は、リール本体に支持されたスプールへハンドルの回転によって釣り糸を巻き取る魚釣り用リールにおいて、前記ハンドルは、ハンドル軸の外側端部に基部が固定されたハンドルアームと、手のひらで握持するタイプのハンドルノブ（握り部）を備え、前記ハンドルノブ（握り部）が前記ハンドルアームの先端部に取付けたハンドルノブ支持軸部でもって回転自在に支持された構成であり、
前記ハンドルノブ（握り部）は、両端間の中間部が前記ハンドルノブ支持軸部の先端に前記ハンドルノブ支持軸部と交差状態を保ちつつ回転自在に結合された棒状体を構成し、
前記ハンドルノブ支持軸部は、前記ハンドルノブ（握り部）を握持する手の親指と人差し指にて挟み持つことが可能な大きさと長さを備え、
前記ハンドルノブ支持軸部の前記ハンドルアームに近接する部分の外周に、釣り糸巻き取り回転中常時前記ハンドルアームの先端よりも外方へ張り出す大きさに拡大された環状の指移動阻止部を形成すると共に、前記ハンドルノブ支持軸部が取り付けられた側の前記ハンドルアームの面の端縁のうち、釣り糸巻き取り回転方向の後ろ側となる端縁に、前記ハンドルノブ（握り部）から遠ざかる方向へ傾斜する指受け部を膨出形成したものであり、以下にその実施例を記載する。
【実施例１】
【００２１】
本発明は、強い力で安定したハンドル回転が求められる両軸受けリールに適用して優れた効果を奏するものであると共に、比較的小さな魚釣りに適するスピニングリールに適用しても優れた効果を奏するものであるが、以下に記載する実施例は、両軸受けリール１の一つの形態であるレバードラグ式リール１について記載する。レバードラグ式リール１は、図８に示すように、その下側部に設けた金属製の取付け脚２を釣竿６０の上側部に形成した取付け部６１に装着して取り付けられ、その取り付け状態において、多くの使用状態として採用される右側ハンドル操作の場合について説明する。
【００２２】
本発明に係るレバードラグ式リール１は、図８に示すように、釣竿６０の竿先に向かって右側に、釣糸６２をスプール１５に巻き取り操作するハンドル１２及びドラグ機構１３のドラグ力を調整するドラグレバー１４が配置され、操作者のハンドル側の手（右手ＲＨ）でハンドル１２を操作し、レバードラグ式リール１の反ハンドル側となる左側面に沿わせた操作者の反ハンドル側の手（左手ＬＨ）によって、釣竿６０を下方から支えると共に左手ＬＨの親指ＬＨ１によって、ドラグレバー１４を操作可能とする小型のレバードラグ式リール１を構成している。
【００２３】
このレバードラグ式リール１は、ジグと称される錘式のルアーを使用し、釣り竿から釣糸６２を略真下へ向けて例えば海中５０ｍ乃至それ以上の深さまで垂らして比較的大きな魚を狙うジギング釣りとして好適なものである。
【００２４】
以下、本発明に係るレバードラグ式リール１の構成について更に詳細に記載する。以下の説明において、レバードラグ式リール１の取付け脚２を釣竿６０の上側部に形成した取付け部６１に装着した状態において、レバードラグ式リール１を後方から釣竿６０の竿先に向かって見た状態で、右側及び左側と呼称して説明することとする。
【００２５】
本発明に係るレバードラグ式リール１は、リール本体１１と、リール本体１１に支持されたスプール軸１６に回転自在に支持されたスプール１５と、スプール１５の釣り糸繰り出し方向回転のドラグ力を調整するドラグ機構１３と、ドラグ機構１３を介してスプール１５を回転駆動する歯車装置ＧＡと、歯車装置ＧＡを回転駆動するハンドル軸を回転させるためのハンドル１２と、ドラグ機構１３のドラグ力を調整するドラグレバー１４を備えている。また、ドラグ機構１３は、ドラグ力の強弱調整範囲をプリセットするドラグ調整装置５０を備えている。
【００２６】
金属製のリール本体１１は、円形状のスプール１５の左側面を覆う側面視円形状の左側の第１側板１１Ａと、円形状のスプール１５の右側面を覆う側面視円形状の右側の第２側板１１Ｂが、複数の連結部１１Ｃにて連結された状態で対向配置された構成を主体部とし、これに第１側板１１Ａの外側を覆うように第１側板１１Ａにネジ１１Ｈで固定された側面視円形状の金属製の第１側板カバー１１Ｄと、第２側板１１Ｂの外側を覆うように第２側板１１Ｂにネジ１１Ｇで固定された金属製の第２側板カバー１１Ｅを備えて構成である。ネジ１１Ｈは、操作者の左手ＬＨの手のひらが接触しないように、第１側板カバー１１Ｄの外表面から突出しないように窪みに配置されている。
【００２７】
第１側板カバー１１Ｄの左側面は、操作者の左手ＬＨの手のひらが沿い易いように、周縁部から中央部に向けて左外方へ大きな曲率で突出した曲面１１Ｄ１をなし、略球面状に膨らんだ丸み形状を呈している。第２側板カバー１１Ｅは、円形状のスプール１５の右側面を覆う側面視円形状部分と、金属製のハンドル取り付け部１２Ｔに連結された金属製のメインギア２２を収容する部分とを一体形成した金属製の第２側板内カバー１１Ｅ１と、ハンドル取り付け部１２Ｔを収容する金属製の第２側板外カバー１１Ｅ２とで構成している。第２側板内カバー１１Ｅ１がネジ１１Ｇで第２側板１１Ｂに固定されており、第２側板内カバー１１Ｅ１と第２側板外カバー１１Ｅ２は、ハンドル取り付け部１２Ｔがメインギア２２と連結される部分で連通する状態にネジ１１Ｊで結合されている。なお、第２側板内カバー１１Ｅ１内のメインギア２２を覆うために、ギアカバー１１Ｅ３を備えており、ギアカバー１１Ｅ３は、外側端が第２側板内カバー１１Ｅ１に連接し内側端がネジ１１Ｋで第２側板１１Ｂに取り付けられた構成である。
【００２８】
リール本体１１には、スプール軸１６の左右両側部が、第１側板１１Ａの一部である第１側板カバー１１Ｄに設けた軸支持部１１Ｄ２と、第２側板１１Ｂの一部である第２側板カバー１１Ｅに設けた軸支持部１１Ｄ３に支持されており、それによって、リール本体１１に対して金属製のスプール軸１６が、回転不能且つスプール軸１６の軸方向へ移動可能（左右移動可能）である。実施例では、第２側板カバー１１Ｅの外面部（具体的には第２側板内カバー１１Ｅ１の外面部）に、スプール軸１６と同軸に膨出形成した膨出部１１Ｅ１Ｂが形成されており、膨出部１１Ｅ１Ｂを貫通してスプール軸１６が、その軸方向に移動可能且つ回転不能に延出するように、膨出部１１Ｅ１Ｂに軸支持部１１Ｄ３が形成されている。軸支持部１１Ｄ２の一部には、スプール軸１６から突出した回り止めピン１６Ｐが嵌まり込む溝１１Ｄ２１が形成されており、回り止めピン１６Ｐが溝１１Ｄ２１に嵌まり込んだ状態で、スプール軸１６が回転不能且つ軸方向へ移動可能（左右移動可能）である。
【００２９】
釣り糸６２を巻き取る金属製のスプール１５は、釣り糸６２を巻き取る円筒状の小径の糸巻き胴部１５Ａと、糸巻き胴部１５Ａの左右両側に設けた円形状の大径のフランジ部１５Ｂ、１５Ｃを一体形成している。スプール１５は、左右両側部が軸受け１７Ａ、１７Ｂを介してスプール軸１６対して遊転可能に支持されている。この状態で、左側のフランジ部１５Ｂは、リール本体１１の第１側板１１Ａの内側に入り込んだ状態で配置され、右側のフランジ部１５Ｃは、リール本体１１の第２側板１１Ｂの内側に入り込んだ状態で配置される。
【００３０】
軸受け１７Ａは、スプール１５の左側の第１凹部に装着されており、スプール軸１６に取付けたワッシャ１６Ｗと軸受け１７Ａとに付勢力が働く４枚の皿バネからなる第１付勢部材２７によって、図７で右方向となる内方へ付勢され、スプール１５の第１凹部に押し圧されている。軸受け１７Ｂは、スプール１５の右側の第２凹部に装着されており、後述の軸受け２５との間のスプール軸１６の周囲に配置したコイルバネからなる第２付勢部材２８によって、スプール軸１６の内方（図７で左方）に付勢されている。この第２付勢部材２８によって、ドラグフリー状態において、第２摩擦板１３Ｂから第１摩擦板１３Ａが離間するように、スプール１５をスプール軸１６の内方（図７で左方）に付勢する。
【００３１】
スプール１５は、リール本体１１に回転自在に取り付けたハンドル１２の回転操作によって、釣り糸６２がスプール１５に巻き取られる。スプール１５は、２号撚り糸（ＰＥラインと称する）の釣糸６２を略６００ｍの長さまで安定に巻回できるように、糸巻き胴部１５Ａ及び左右両側のフランジ部１５Ｂ、１５Ｃが形成されている。
【００３２】
ハンドル１２は、板状の金属製のハンドルアーム１２Ｂと、ハンドルノブとして若干の弾力を有するゴムや合成樹脂などで形成した握り部１２Ｄを備えており、ハンドル取り付け部１２Ｔにてリール本体１１に回転自在に取付けられている。具体的には、ハンドル取り付け部１２Ｔは、第２側板カバー１１Ｅ内（図示では第２側板外カバー１１Ｅ２内）に設けた軸受け１８Ａ、１８Ｂによって、スプール軸１６の軸線１６Ｓに平行な軸線１２ＡＳでもって金属製のハンドル軸１２Ａが回転自在に支持され、第２側板カバー１１Ｅを貫通したハンドル軸１２Ａの外側端部（図示では右側端部）に、ネジ１９によってハンドルアーム１２Ｂの基部が固定され、ハンドルアーム１２Ｂの先端部に握り部１２Ｄをハンドルノブ支持軸部１２Ｅによって回転自在に支持している。ハンドルノブ支持軸部１２Ｅは、ハンドルアーム１２Ｂに略直角に交差するように、ハンドルアーム１２Ｂの先端部に固定したハンドルノブ軸１２Ｃに、軸受け２０Ａ、２０Ｂを介して握り部１２Ｄと一体の筒部１２Ｄ１が回転自在に支持された構成である。これによって、握り部１２Ｄを操作者の右手によって握持した状態で、スプール１５へ釣り糸６２の巻き取りを行なう場合、ハンドル軸１２Ａを中心として握り部１２Ｄを釣り糸巻き取り方向（レバードラグ式リール１の右側面視で時計方向）に回転させることに伴って、ハンドルノブ軸１２Ｃを中心として握り部１２Ｄが回転するため、スプール１５へ釣り糸６２の巻き取りを連続して行なうことができる。
【００３３】
ハンドル１２は、スプール１５へ釣り糸６２を巻き取る方向（図３及び図４に矢印Ｙで示す正方向回転という）へは回転できるがその逆方向回転はできないようにするために、第２側板カバー１１Ｅ内（具体的には第２側板外カバー１１Ｅ２内）において、軸受け１８Ａ、１８Ｂ間にワンウェイクラッチ２１が設けられている。ワンウェイクラッチ２１は周知の構成であり、第２側板カバー１１Ｅ側のアウターハウジングと、ハンドル軸１２Ａ側のインナーハウジングとの間に介在したローラの作用によって、ハンドル軸１２Ａが前記正回転方向のみ許容される周知の仕組みである。このため、ハンドル１２の正方向回転によってハンドル軸１２Ａが正方向回転し、後述のドラグ機構１３を介してスプール１５が釣り糸６２を巻き取る方向へ回転する。一方、釣り糸６２の繰り出しによってスプール１５が繰り出し方向回転（釣り糸６２を巻き取る方向とは逆方向の回転）する場合、その回転が後述のドラグ機構１３及びメインギア２２等を介してハンドル軸１２Ａへ伝達されるが、ワンウェイクラッチ２１の作用によってハンドル軸１２Ａは回転せず、従ってハンドル１２も逆方向回転（釣り糸６２を巻き取る方向Ｙ方向とは逆方向の回転）しないように動作する。
【００３４】
ハンドル１２の正方向回転をスプール１５へ伝達するために、ハンドル軸１２Ａの左端部に固定したメインギア２２に噛み合うように金属製のピニオンギア２３を備えている。軸受け２４は、周知のボールベアリング型式の軸受けであり、その外輪が第２側板カバー１１Ｅ内の凹部に装着され内輪がピニオンギア２３の外周の外側端部に装着されており、それによって、ピニオンギア２３が第２側板カバー１１Ｅ内に回転自在に支持され、ピニオンギア２３は、スプール軸１６に対しては回転自在且つスプール軸１６が軸方向移動自在なるように装着されている。この状態で、スプール軸１６の軸方向移動は許容するが、メインギア２２の回転に伴ってピニオンギア２３が回転する関係である。また、ピニオンギア２３の内側端部には、後述のドラグ機構１３の第２摩擦板１３Ｂと一体の取付け板１３Ｂ１の内周部分が嵌合し、ピニオンギア２３と第２摩擦板１３Ｂが一体化されている。
【００３５】
ドラグ機構１３は、回転しないスプール軸１６に回転自在に装着されたスプール１５に釣り糸６２を巻き取る場合、巻き取り操作するハンドルの回転をスプール１５に伝達するための回転伝達力の強弱を調整すると共に、スプール１５の釣り糸繰り出し方向回転に制動力を加え、この制動力を調整し、また変更するためのものである。
【００３６】
このためドラグ機構１３は、ドラグ力の強弱を揺動動作にて調整する金属製のドラグレバー１４と、スプール１５と共に回転するようにスプール１５の一側面であるハンドル側（図示では竿先方向に向かって右側）の円形状のフランジ部１５Ｃの側面に固定した円板状の第１摩擦板１３Ａと、第１摩擦板１３Ａに当接可能に対峙しハンドル１２の回転に伴って回転する円板状の第２摩擦板１３Ｂと、スプール軸１６に対してスプール１５をスプール軸１６の軸方向（ハンドル側となる図示では右側）に向けて付勢する４枚の皿バネからなる第１付勢部材２７と、ドラグフリー状態で第２摩擦板１３Ｂから第１摩擦板１３Ａが離間するようにスプール１５をスプール軸１６の軸方向（反ハンドル側となる図示では左側）に付勢するコイルバネからなる第２付勢部材２８と、ドラグレバー１４の揺動動作にてスプール軸１６の軸方向移動を制御するカム機構３０と、ドラグレバー１４の揺動によるドラグ力の強弱調整範囲を予め所定の範囲に設定する（プリセットという）ドラグ調整装置５０とを備えている。これによって、ドラグレバー１４の揺動動作にて第１摩擦板１３Ａと第２摩擦板１３Ｂとの摩擦係合力（ドラグ力）の強弱が調整され、スプール１５の釣り糸繰り出し方向回転に加える制動力が調整される。
【００３７】
なお、第１付勢部材２７の付勢力（バネ力）は、第２付勢部材２８の付勢力（バネ力）よりも大きく設定されている。また、第１付勢部材２７と第２付勢部材２８によって、スプール１５の自由回転時のガタツキを防止している。
【００３８】
第２摩擦板１３Ｂは、スプール軸１６に対して、ピニオンギア２３の回転に伴って回転するが、スプール軸１６が軸方向へ移動しても移動しないように移動不能且つ回転可能である。このため、第２摩擦板１３Ｂは、軸受け２５を介してスプール軸１６に遊転可能に支持され且つスプール軸１６の移動自在に支持される。この軸受け２５は、周知のボールベアリング型式であり、その外輪が第２摩擦板１３Ｂの凹部に装着され、内輪がスプール軸１６に遊嵌されている。これによってスプール軸１６に対して、ピニオンギア２３と共に第２摩擦板１３Ｂが回転自在であり、且つスプール軸１６はその軸方向移動自在である。
【００３９】
第２側板カバー１１Ｅの外面部（具体的には第２側板内カバー１１Ｅ１の外面部）に、スプール軸１６と同軸に膨出形成した膨出部１１Ｅ１Ｂは、スプール軸１６のピニオンギア２３よりもハンドル１２側へ延出する部分を取り囲んで二段階に膨出形成されており、その二段階の二段目を貫通してスプール軸１６がその軸方向に移動可能に延出するように、軸受け部１１Ｄ３で支持されている。
【００４０】
ドラグレバー１４は、第２側板カバー１１Ｅの外面部（具体的には第２側板内カバー１１Ｅ１の外面部）の膨出部１１Ｅ１Ｂに揺動自在（回動自在ともいう）に支持されている。具体的には、ドラグレバー１４の基部に形成した円筒状の支持部１４Ａが、膨出部１１Ｅ１Ｂの一段目の円筒状外面に揺動自在（回動自在ともいう）に組み合わされ、支持部１４Ａの内周の一部に形成した環状の係止部１４Ｂが、膨出部１１Ｅ１Ｂの二段目の外周面に取り付けたＣ形リングまたはＥ形リングの抜け止め部材１４１によって抜け止め保持されている。この状態でドラグレバー１４は、第２側板内カバー１１Ｅ１に対してスプール軸１６を中心として揺動自在（回動自在ともいう）に保持される。なお、ドラグレバー１４の揺動（回動ともいう）範囲は、略１３０度である。
【００４１】
カム機構３０は、ドラグレバー１４側の第１カム３１と、第１カム３１に噛み合うリール本体１１側の第２カム３２とで構成される。第１カム３１は、環状の係止部１４１の外側面に沿って配置され、筒状の膨出部１１Ｅ１Ｂを取り囲むように円筒状の支持部１４Ａの内側に回り止め状態に取り付けた傾斜カムである。第１カム３１は傾斜カムと称するように、ハンドル１２側へ向けて徐々に高く傾斜した円弧状のカム面３１Ａを形成している。製作のし易さ、取り付けのし易さ、ドラグ動作の安定化のために、第１カム３１は図９に示すように円形状リングをなし、カム面３１Ａは、スプール１５の軸線１６Ｓを中心とした半径方向の対称位置に形成された対称カム面３１Ａの構成であり、この対称のカム面３１Ａは、ハンドル１２側から見て反時計回りに傾斜が徐々に強くなる（ハンドル１２側へ近づくように高くなる）形状である。これによって第１カム３１は、スプール軸１６を中心としてドラグレバー１４と共に揺動（回動）する。なお、第１カム３１は、支持部１４Ａの内側に支持部１４Ａと一体形成でもよい。
【００４２】
第２カム３２は、第１カム３１に対向配置したリール本体側カムであり、第１カム３１のカム面３１Ａと相互摺動するカム部３２Ａを備えている。膨出部１１Ｅ１Ｂの二段目の外周は、図示の六角形のような多角形部１１Ｅ１Ｂ６を備え、第２カム３２は、図１０に示すように、この多角形部１１Ｅ１Ｂ６に嵌合する内周面３２Ｂ１とドラグレバー１４の支持部１４Ａの先端部分の円形状の内周面に沿う円形状の外周面とを形成した環状のカム体３２Ｂと、カム体３２Ｂのスプール軸１６を中心とした半径方向の１８０度対称位置で外方へ突出するように取付けた棒状の突起カム形態のカム部３２Ａとで構成されている。
【００４３】
カム機構３０として、第１カム３１と第２カム３２のいずれか一方が傾斜カム形態であり、他方が突起カム形態である技術は、例えば、特開平１１−１５５４４２号公報で公知であるため、この基本的な技術のみは新規技術ではないが、安定動作を達成するための構成については、本発明によって新規に得られたものである。
【００４４】
これによって、第２カム３２は、膨出部１１Ｅ１Ｂの多角形部１１Ｅ１Ｂ６に回転不能状態で且つスプール軸１６の軸方向へ移動可能状態であり、ドラグレバー１４は、スプール軸１６の軸方向へ移動不能状態であって第２カム３２に対して揺動（回動）自在である。
【００４５】
第１カム３１のカム面の具体的な構成を図９の（イ）〜（ハ）に示す。図９の（イ）は第１カム３１の側面図、図９の（ロ）は第１カム３１の平面図、図９の（ハ）は第１カム３１のカム面３１Ａの展開図である。これらの図において、スプール軸１６の軸線１６Ｓを中心とした半径方向の１８０度対称位置であるＰ及びＱの範囲に、同じ形状でカム面３１Ａが形成されている。Ａの範囲が平坦カム面であり、Ｂの範囲がきつい傾斜の第１傾斜カム面であり、Ｃの範囲が緩い傾斜の第２傾斜カム面であり、Ｄの範囲が更に緩い傾斜の第３傾斜カム面である。第２カム３２のカム部は、図１０の（イ）（ロ）に示すように、第２カム３２の１８０度対称位置に設けた突起カム形態のカム部３２Ａが、Ｐ及びＱの範囲でカム面３１Ａと相互摺動する。
【００４６】
ドラグレバー１４を手動操作することによって、ドラグ機構１３の摩擦係合力（ドラグ力）の強弱を調整するが、その場合のドラグ力の強弱調整範囲の初期設定は、ドラグ調整装置５０によって行なわれる。ドラグ調整装置５０は、ドラグレバー１４を揺動自在（回動自在ともいう）に支持する膨出部１１Ｅ１Ｂの先端の多角形部１１ＥＢ６よりも、ハンドル１２側へ延出するスプール軸１６の先端部分に形成した雄ネジ１６Ａと、この雄ネジ１６Ａに螺合する雌ネジ５１Ａを内側に形成した有底円筒状をなし第２カム３２に相対回転可能に当接したドラグ調整部材５１を備えている。
【００４７】
ハンドル１２側から見て、ドラグ調整部材５１を時計回りに回動させることにより第２付勢部材２８が圧縮されつつ、雌ネジ５１Ａと雄ネジ１６Ａの螺合長さが長くなり、スプール軸１６がスプール１５を伴ってハンドル１２側（図７で右側）へ僅かに移動し、ドラグ力が僅かに強くなるドラグ力強設定状態となる。また、ハンドル１２側から見て、ドラグ調整部材５１を反時計回りに回動させることにより第２付勢部材２８の圧縮が弱まり、雌ネジ５１Ａと雄ネジ１６Ａの螺合長さが短くなり、スプール軸１６がスプール１５を伴ってハンドル１２側から離れる方向（図７で左側）へ僅かに移動し、ドラグ力が僅かに弱くなるドラグ力弱設定状態となる。このようにドラグ調整装置５０によって、ドラグ力の強弱調整範囲の初期設定がなされる。
【００４８】
ドラグ調整装置５０にて一つの調整範囲に設定した場合、図７のスプール軸１６の軸線１６Ｓより上半分は、第１摩擦板１３Ａと第２摩擦板１３Ｂの当接力が強い状態、即ちドラグ機構１３による強ドラグ状態を示すものであり、図７のスプール軸１６の軸線１６Ｓより下半分が、第１摩擦板１３Ａと第２摩擦板１３Ｂが離間した状態、即ちドラグ機構１３によるドラグ力がゼロ状態のフリー状態を示すものである。
【００４９】
第１摩擦板１３Ａと第２摩擦板１３Ｂとの当接力の強弱が調整されることにより、ドラグ力が調整されるため、この動作を安定させるために、第１摩擦板１３Ａは耐熱性と耐磨耗性を備えたコルク、合成樹脂等で構成された僅かに弾性を備えたドーナツ状ディスクである。また、第２摩擦板１３Ｂはステンレス等の金属製の円盤状である。
【００５０】
ドラグレバー１４の揺動によってドラグ力を調整する場合について説明する。ドラグレバー１４をドラグフリーの状態とするためには、ドラグレバー１４を図８のＲ方向（手前側、反時計回り）いっぱいまで（スタート位置まで）揺動（回動）する。これによって、第２カム３２の１８０度対称位置に設けたそれぞれのカム部３２Ａが、第１カム３１のカム面３１Ａの１８０度対称位置に設けたそれぞれのＡの範囲（ドラグレバー１４の揺動（回動）角度が１０度の範囲）に位置し、第２付勢部材２８の付勢によってスプール軸１６がスプール１５を伴って図７の左方向へ移動させるため、それによって第１摩擦板１３Ａが図７の左方向へ移動し、第１摩擦板１３Ａが第２摩擦板１３Ｂから離れた状態となる。これは、釣糸６２を竿先方向へ引っ張る作用に対してドラグ力は掛からないゼロの状態である。即ち、スプール１５の釣り糸繰り出し方向回転に対して、ドラグ機構１３によるドラグ力が掛からない状態となり、スプール１５が自由回転状態となるため、キャスティングを行なえる状態となる。
【００５１】
このＡの状態からドラグレバー１４を図８のＦ方向（前方、時計回り）へ揺動（回動）することにより生じる相対運動によって、第２カム３２の１８０度対称位置に設けたそれぞれのカム部３２Ａが、第１カム３１のカム面３１ＡのＡの範囲からカム面３１ＡのＢの範囲へ移行し、１８０度対称位置に設けたそれぞれのＢの範囲（ドラグレバー１４の揺動（回動）角度が２０度の範囲）のカム面を第２カム３２のカム部３２Ａが登ることにより、第２カム３２が図７の右方向へ移動し、それに伴ってドラグ調整部材５１が図７の右方向へ移動するため、ドラグ調整部材５１によってスプール軸１６が第２付勢部材２８の付勢に抗してハンドル１２側（図７で右側）へ引き寄せられて移動し、それに伴ってスプール１５も第１付勢部材２７を介して同じ方向へ移動する。このため、それぞれのカム部３２Ａがカム面３１ＡのＢの範囲の略中間位置から第１摩擦板１３Ａが第２摩擦板１３Ｂに当接し、ドラグ力が掛かり始める状態となり、且つ、ハンドル１２の回転によってスプール１５が釣り糸６２を巻き取り方向へ回転可能となる。
【００５２】
この当接が始まった状態から更にドラグレバー１４を図８のＦ方向（前方、時計回り）へ揺動（回動）することにより、第２カム３２の１８０度対称位置に設けたそれぞれのカム部３２Ａが第１カム３１のカム面３１ＡのＣの範囲へ移行し、１８０度対称位置に設けたそれぞれのＣの範囲（ドラグレバー１４の揺動（回動）角度が７０度の範囲）のカム面を第２カム３２のカム部３２Ａが登ることにより、第２カム３２が図７の右方向へ移動し、それに伴ってドラグ調整部材５１が図７の右方向へ移動するため、上記同様にドラグ調整部材５１によってスプール軸１６及びスプール１５がハンドル１２側（図７で右側）へ引き寄せられて移動し、第１摩擦板１３Ａが第２摩擦板１３Ｂに当接する当接力が徐々に強くなる。即ち、ドラグ力が徐々に強くなる。
【００５３】
Ｂの範囲のカム面の傾斜をＣの範囲のカム面の傾斜よりも強くしているのは、Ａの範囲のドラグフリーの状態から速やかにドラグ作用開始状態へ移行できるようにするためであり、Ｂの範囲のカム面の傾斜の中間位置からドラグ作用が開始し、それ以降はＣの範囲のカム面の傾斜に沿ってドラグ力が徐々に強くなるようにしている。
【００５４】
Ｃの範囲を越えてドラグレバー１４を図８のＦ方向（前方、時計回り）へ揺動（回動）することにより、第２カム３２のカム部３２Ａが第１カム３１のカム面３１ＡのＣの範囲からＤの範囲へ移行し、Ｄの範囲（ドラグレバー１４の揺動（回動）角度が３０度の範囲）のカム面を第２カム３２のカム部３２Ａが登ることにより、第２カム３２が図７の右方向へ移動し、それに伴ってドラグ調整部材５１が図７の右方向へ移動するため、上記同様にドラグ調整部材５１によってスプール軸１６及びスプール１５がハンドル１２側（図７で右側）へ引き寄せられて移動し、第１摩擦板１３Ａが第２摩擦板１３Ｂに当接する当接力が更に強くなる。Ｄの範囲の最終部がドラグレバー１４の揺動（回動）動作の終点であり、このときドラグ力が最大となる。
【００５５】
また、ドラグレバー１４を図８のＲ方向（手前側、反時計回り）へ揺動（回動）することによって、第２カム３２のカム部３２Ａが第１カム３１のＤの範囲、Ｃの範囲、Ｂの範囲を順次経ることに伴って、第１摩擦板１３Ａが図７の左方向へ移動してドラグ力が徐々に弱まる。
【００５６】
上記のように、ドラグレバー１４のＦ方向（前方、時計回り）、Ｒ方向（手前側、反時計回り）への揺動（回動）動作によって、ドラグ力の強弱を調整できるため、実釣中のハンドル１２の操作並びにドラグレバー１４の操作を適宜行なうことにより、実釣効果を得ることができる。
【００５７】
そして、第２カム３２の１８０度対称位置に設けたそれぞれのカム部３２Ａが、第１カム３１の１８０度対称位置に設けたそれぞれのＡの範囲に位置したとき、上記のように、第１摩擦板１３Ａが図７の左方向へ移動して、第１摩擦板１３Ａが第２摩擦板１３Ｂから離れた状態となるため、釣糸６２を竿先方向へ引っ張る作用に対してドラグ力は掛からないゼロの状態である。
【００５８】
上記の記載から明らかなように、第２カム３２のカム部３２Ａが第１カム３１のＡの範囲に位置した状態では、スプール１５は、ドラグ機構１３との連繋やハンドル取り付け部１２Ｔを含むハンドル１２側との連繋も外れた状態であるため、スプール１５の釣り糸繰り出し方向回転に対して殆んど抵抗がない状態となる。この状態で、キャスティングを行なう、即ち、ジグと称される錘式のルアーを使用した釣り糸６２を釣り竿６０から略真下へ向けて、例えば海中５０ｍ乃至それ以上の深さまで垂らした後、ドラグレバー１４を図８のＦ方向（前方、時計回り）へ揺動（回動）することにより、上記のように、ドラグ機構１３が作動してドラグが掛かる。このため、ドラグレバー１４のＦ方向（前方、時計回り）及びＲ方向（手前側、反時計回り）への揺動（回動）動作と、ハンドル１２の回転操作とを適宜行うことによって、釣り糸６２を所望の状態に繰り出した状態にて実釣動作を行なうことができる。
【００５９】
レバードラグ式リール１は、図８に示すように、その下側部に設けた金属製の取付け脚２を釣竿６０の上側部に形成した取付け部６１に装着して取り付けられ、その取り付け状態において、レバードラグ式リール１の左側面に沿わせた操作者の左手ＬＨの中指や薬指などによって釣竿６０を下方から支えると共に、その左手ＬＨによってレバードラグ式リール１を握持し、左手ＬＨの親指ＬＨ１によってドラグレバー１４を操作可能とし、操作者の右手ＲＨでハンドル１２を操作可能とする構成である。また、左手ＬＨの親指ＬＨ１は、ドラグレバー１４から離した状態で、釣り糸６２がスプール１５へ略均等状態に巻き取られるように釣り糸６２を案内するように操作することができる。
【００６０】
本発明は、ハンドル１２に特徴がある。即ち、図１〜図６、図７、図１１〜図１３に示すように、ハンドルノブ（握り部）１２Ｄは、両端間の中間部がハンドルノブ支持軸部１２Ｅの先端にハンドルノブ支持軸部１２Ｅと交差状態を保ちつつ回転自在に結合された棒状体を構成し、ハンドルノブ支持軸部１２Ｅは、ハンドルノブ（握り部）１２Ｄを握持する右手ＲＨの親指ＲＨ１と人差し指ＲＨ２にて挟み持つことが可能な大きさと長さを備え、ハンドルノブ支持軸部１２Ｅのハンドルアーム１２Ｂに近接する部分の外周に、釣り糸巻き取り回転中常時ハンドルアーム１２Ｂの先端１２Ｂ１の弧状部よりも外方へ張り出す大きさに拡大する環状の指移動阻止部１２Ｈを形成している。ハンドルアーム１２Ｂの先端１２Ｂ１と指移動阻止部１２Ｈの関係は、図１、図３乃至図５から明らかなように、ハンドルノブ支持軸部１２Ｅの軸線１２ＥＳ方向において、指移動阻止部１２Ｈの投影範囲にハンドルアーム１２Ｂの円弧状の先端１２Ｂ１が入る大きさ（軸線１２ＥＳ方向に見た場合、指移動阻止部１２Ｈの領域内に先端１２Ｂ１が入る状態）となるように、ハンドルアーム１２Ｂの先端１２Ｂ１の半径よりも指移動阻止部１２Ｈの半径が大である。更にハンドル１２は、ハンドルノブ支持軸部１２Ｅが取り付けられた側のハンドルアーム１２Ｂの面の端縁のうち、釣り糸巻き取り回転方向の後ろ側となる端縁に、ハンドルノブ（握り部）１２Ｄから遠ざかる方向へ傾斜する傾斜面１２Ｊを有する指受け部１２Ｋを膨出形成している。
【００６１】
また、ハンドルノブ支持軸部１２Ｅの外形は断面が円形状であり、指移動阻止部１２Ｈは、ハンドルノブ支持軸部１２Ｅが取り付けられるハンドルアーム１２Ｂの先端部１２Ｂ１よりも外側へ１ｍｍ以上張り出す大きさの外径でもって円形状に形成されている。更に、図３乃至図５に示すように、指受け部１２Ｋは、ハンドルノブ支持軸部１２Ｅの軸線１２ＥＳ方向におけるハンドルアーム１２Ｂに対する指移動阻止部１２Ｈの投影範囲に指受け部１２Ｋの一端が掛かる状態で、ハンドル軸１２Ａの方向へ寄った位置に形成されている。
【００６２】
更に、ハンドルノブ支持軸部１２Ｅの外形は断面が円形状または長円形状であり、指移動阻止部１２Ｈは、ハンドルノブ（握り部）１２Ｄを握持する手の親指と人差し指にて挟み持つ部分１２Ｅ０の外径の１．３〜２．５倍に徐々に拡大する形状であり、指受け部１２Ｋはハンドルアームの端縁から連続して弧状に膨出すように形成され、この弧状全体が傾斜角３０度〜４５度の傾斜面１２Ｊをなすように折り曲げられている。
【００６３】
以下に本発明を更に詳細に記載する。ハンドル軸１２Ａの軸線１２ＡＳ及びハンドルノブ支持軸部１２Ｅの軸線１２ＥＳは、スプール軸１６の軸線１６Ｓに平行であり、ハンドルアーム１２Ｂの軸線１２ＢＳはハンドル軸１２Ａの軸線１２ＡＳに直角である。ハンドルアーム１２Ｂの先端部に、ハンドルアーム１２Ｂの軸線１２ＢＳと直角状態の軸線１２ＥＳ上にハンドルノブ支持軸部１２Ｅが取付けられ、ハンドルノブ支持軸部１２Ｅの基部にハンドルノブ（握り部）１２Ｄが回転自在に取付けられている。手のひらで握持するハンドルノブ（握り部）１２Ｄは、その外形の横断面形状が、円形状、または楕円形や卵形等の長円形状、またはこれらに類する形状をなす棒状体を構成しており、その棒状体の長さ方向の両端間の中間部がハンドルノブ支持軸部１２Ｅの基部に、ハンドルノブ支持軸部１２Ｅと交差状態を保ちつつ回転自在に結合された構成である。
【００６４】
ハンドルノブ（握り部）１２Ｄは、図１等に示すように、全体が棒状体をなし、その棒状体は、軸線１２ＤＳの周りに円形状外形をなす下半部１２Ｄ３と、軸線１２ＤＳを中心軸として下半部１２Ｄ３から徐々に縮径する円形状外形をなす上半部１２Ｄ４を有し、上半部１２Ｄ４の一部分をハンドルノブ支持軸部１２Ｅの平坦な取り付け面１２Ｄ５とするために、ハンドルノブ支持軸部１２Ｅの軸線１２ＥＳに直角をなす平坦な取り付け面１２Ｄ５を上半部１２Ｄ４に形成している。ハンドルノブ（握り部）１２Ｄを手のひらで握持した状態で釣り糸巻き取り回転操作をするのに適するようにするために、ハンドルノブ（握り部）１２Ｄは、取り付け面１２Ｄ５がハンドルノブ支持軸部１２Ｅの軸線１２ＥＳに直角に交差した状態に取付けられる。この取付け状態において、ハンドルノブ（握り部）１２Ｄは、下半部１２Ｄ３の重量によって下半部１２Ｄ３が常時下側に位置する状態をとるため、ハンドル１２が３６０度の如何なる位置にあっても、ハンドルノブ（握り部）１２Ｄを手のひらで握持し易くなる。この下半部１２Ｄ３が下側に位置する状態において、図１に示すようにハンドルノブ（握り部）１２Ｄの軸線１２ＤＳは、半部１２Ｄ３がハンドルアーム１２Ｂから遠ざかるように、取り付け面１２Ｄ５に平行な軸線１２ＤＴ（軸線１２ＥＳに直角な軸線１２ＤＴ）となす角度θ１が１０度〜１５度である。
【００６５】
この一つの好ましい実施例として、図１に示すように、下半部１２Ｄ３の直径が３０ｍｍであり、そこから外形接線の角度が５度となる角度をなすように、徐々に縮径する円形状外形をなす上半部１２Ｄ４を有し、θ１が１２度でもって、ハンドルノブ（握り部）１２Ｄがハンドルノブ支持軸部１２Ｅと結合されている。これによって、手のひらでハンドルノブ（握り部）１２Ｄを握持した状態で、釣り糸巻き取り回転操作をするのに適したものとなる。
【００６６】
指移動阻止部１２Ｈは、ハンドルアーム１２Ｂ側に向けてハンドルノブ支持軸部１２Ｅの外径が、ハンドルノブ（握り部）を握持する手ＲＨの親指ＲＨ１と人差し指ＲＨ２にて挟み持つハンドルノブ支持軸部１２Ｅの部分１２Ｅ０の外径の１．３〜２．５倍に徐々に拡大する形状である。指受け部１２Ｋは、ハンドルアーム１２Ｂの端縁から連続してリール本体１１側へ向けて弧状に膨出し、この弧状全体が傾斜面１２Ｊをなしている。この傾斜面１２Ｊは平坦面であってもよいが、若干の凹状または凸状に加工された湾曲面であってもよい。
【００６７】
本発明が達成されるための実施形態として、ハンドルノブ支持軸部１２Ｅの外形は、断面円形状の柱状外形であり、ハンドルノブ支持軸部１２Ｅの外形を形成する筒部１２Ｄ１は、ハンドルノブ（握り部）１２Ｄの付け根部分の直径ｔ３が１７ｍｍ〜２５ｍｍであり、先端までの長さｔ０が２５ｍｍ〜３５ｍｍであり、ハンドルノブ（握り部）１２Ｄを握持する手ＲＨの親指ＲＨ１と人差し指ＲＨ２にて挟み持つ部分の直径ｔ１が１０ｍｍ〜１５ｍｍであり、そこからハンドルノブ支持軸部１２Ｅの外径が直線または曲線でもって徐々に拡大して、軸線１２ＥＳと直角方向の断面が円形状の外形をなす指移動阻止部１２Ｈが形成されており、この指移動阻止部１２Ｈの直径ｔ２が１８ｍｍ〜２５ｍｍの範囲に形成された構成である。この場合、指移動阻止部１２Ｈは、軸線１２ＥＳの方向において、ハンドルノブ支持軸部１２Ｅが取り付けられるハンドルアーム１２Ｂの先端部１２Ｂ１よりも外側へ１ｍｍ以上張り出す大きさの外径でもって円形状に形成される。これによって、ハンドルノブ（握り部）１２Ｄを右手ＲＨで握持し、その握持する手ＲＨの親指ＲＨ１と人差し指ＲＨ２によってハンドルノブ支持軸部１２Ｅを挟み持つ部分１２Ｅ０を挟み持った状態で、この親指ＲＨ１と人差し指ＲＨ２は、図１１〜図１３に示すように、指移動阻止部１２Ｈによってハンドルアーム１２Ｂの先端部１２Ｂ１へ移動することが抑止される状態となる。
【００６８】
一つの好ましい実施例として、図１に示すように、ハンドルノブ支持軸部１２Ｅは、ハンドルノブ（握り部）１２Ｄの付け根部分から先端までの長さｔ０が３０ｍｍであり、ハンドルノブ（握り部）１２Ｄの付け根部分の直径ｔ３が１８ｍｍであり、この付け根部分から親指ＲＨ１と人差し指ＲＨ２にて挟み持つ部分の直径ｔ１が１２ｍｍまでの範囲が曲面でもって徐々に縮径する。この縮径部が、ハンドルノブ（握り部）１２Ｄを握持する手ＲＨの親指ＲＨ１と人差し指ＲＨ２にて挟み持つ部分１２Ｅ０を形成する。その１２ｍｍまで縮径した１２Ｅ０の部分から直径ｔ２が２０ｍｍ（半径１０ｍｍ）まで曲面でもって徐々に拡大して指移動阻止部１２Ｈを形成する。ハンドルアーム１２Ｂの先端部１２Ｂ１は、半径７．３ｍｍの円弧状に形成されており、指移動阻止部１２Ｈは、ハンドルノブ支持軸部１２Ｅが取り付けられるハンドルアーム１２Ｂの先端部１２Ｂ１よりも外側へ２．７ｍｍの張り出しとなる。なお、指移動阻止部１２Ｈは、ハンドルアーム１２Ｂ側に向けて徐々に縮径し、指移動阻止部１２Ｈを指が乗り越える際の緩衝効果を得るようにしている。
【００６９】
上記のように縮径部１２Ｅ０を形成することによって、ハンドルノブ（握り部）１２Ｄを右手で握持し、その握持する手の親指と人差し指にて挟み持つことに好適な構成となり、親指と人差し指がハンドルノブ支持軸部１２Ｅを挟み持ち易く、且つ２０ｍｍまで拡大した指移動阻止部１２Ｈによって、図１１及び図１２に示すように、親指と人差し指がハンドルアーム１２Ｂ側に向けてはみ出ることを有効に阻止できる効果を奏する。
【００７０】
また、図５にはハンドルアーム１２Ｂのハンドルノブ１２Ｄ側の面を示している。指受け部１２Ｋの一つの好ましい実施例として、図１〜図６に示すように、指受け部１２Ｋは、ハンドルアーム１２Ｂの後端縁から連続して弧状に膨出し、この弧状全体のハンドルノブ１２Ｄ側の面が傾斜面１２Ｊをなしている。また、指受け部１２Ｋは、ハンドルノブ支持軸部１２Ｅの軸線１２ＥＳ方向において、ハンドルアーム１２Ｂに対する指移動阻止部１２Ｈの投影範囲に、指受け部１２Ｋの一端１２Ｋ１（図５での左端部）が掛かる状態であり、その位置からハンドル軸１２Ａの方向へ延びた位置（即ち、ハンドル軸１２Ａの軸線１２ＡＳ方向へ寄った位置）に形成されている。指受け部１２Ｋによる指受けを良好にするために、その指受け部１２Ｋの弧状の一端１２Ｋ１は、ハンドルアーム１２Ｂの先端１２Ｂ１の円弧（図５に半径７．３ｍｍの円弧を示すＲ７．３と表示した部分）に段差がない状態で連続するように、図５に半径１５ｍｍの円弧を示すＲ１５と表示した部分によって、指受け部１２Ｋがハンドルアーム１２Ｂの先端１２Ｂ１の円弧に連続形成されている。
【００７１】
上記の構成において、ハンドルノブ（握り部）１２Ｄを右手で握持し、その握持する手の親指と人差し指にて挟み持つことに好適な構成となり、指移動阻止部１２Ｈを人差し指ＲＨ２が乗り越えても、指受け部１２Ｋの傾斜面で受け止められるため、その人差し指ＲＨ２がハンドルアーム１２Ｂの端部で負傷することを防ぐことができる。指受け部１２Ｋが傾斜面であることによって、受け止められる人差し指ＲＨ２への緩衝効果が得られるものとなる。
【００７２】
上記のように、ハンドルノブ支持軸部の大きさを制限したのは、ハンドルノブ支持軸部の外径（直径）が１０ｍｍより小さい場合は、ハンドルノブ支持軸部１２Ｅに収容するハンドルノブ軸１２Ｃが小径になり過ぎて強度が弱くなること、そして、軸受け２０Ａ、２０Ｂを収容し難くなる。また、ハンドルノブ支持軸部１２Ｅの外径（直径）が１５ｍｍより大きい場合は、ハンドルノブ１２Ｄを握る手ＲＨの親指ＲＨ１と人差し指ＲＨ２で挟み難くなり、ハンドル１２の操作性が悪くなる。また、指移動阻止部１２Ｈの外径をハンドルノブ支持軸部１２Ｅの親指ＲＨ１と人差し指ＲＨ２にて挟み持つ部分１２Ｅ０の外径の１．３〜２．５倍とするのは、ハンドルノブ１２Ｄを握る手ＲＨの親指ＲＨ１と人差し指ＲＨ２がハンドルアーム１２Ｂ側に向けて移動し難くする効果が十分発揮できるものである。指移動阻止部１２Ｈの外径をあまり大きくしても、親指ＲＨ１と人差し指ＲＨ２親指がハンドルアーム１２Ｂ側に向けて移動し難くする効果に著しい向上が期待できないことと、大きくし過ぎると外観上の美観が劣り好ましくないためである。
【００７３】
なお、操作者の左手ＬＨの親指ＬＨ１によるドラグレバー１４の操作性の向上等のために、スプール１５の右側のフランジ部１５Ｃを覆う第２側板１１Ｂ部分の円弧状の上面には、その上面に沿ってドラグレバー１４の上端部が覆い被さる状態で揺動自在に嵌まり込む円弧状溝部７０を形成している。具体的構成として、操作者の左手ＬＨの親指ＬＨ１がドラグレバー１４の上端部を操作し易いようにするために、ドラグレバー１４の一部をなすようにドラグレバー１４の上端部の操作部１４Ｄとして、合成樹脂製の親指タッチ部材１４Ｄを取り付けており、この操作部１４Ｄから下方へ突出した突起部１４Ｄ１が、円弧状溝部７０に沿って移動可能に嵌まり込んだ構成である。これによって、突起部１４Ａ１が円弧状溝部７０に沿った移動を行うため、ドラグレバー１４の前後揺動操作を安定して行えるものとなる。
【００７４】
また、レバードラグ式リール１の右側に配置されるドラグ調整部材５１の回動位置を操作者に音で認識させるためと、ドラグ調整部材５１の回動を段階的に行えるようにするために、図７に拡大図にて示すように、発音装置９５を設けている。発音装置９５は、ドラグ調整部材５１に対向するカム体３２Ｂの外側面に、球面状の窪み９６が円形状に等間隔で形成され、ドラグ調整部材５１からこの窪み９６へ向けて、先端球面状部が突出するようにバネ９８で付勢された進出体９７によって構成されている。進出体９７は、図７に拡大で示すように球状体でもよいが、棒状でもよい。なお、発音装置９５と同様の構成でもって、ドラグレバー１４の回動位置を操作者に音で認識させるため、及びドラグレバー１４の回動を段階的に行えるようにするために、ドラグレバー１４の操作部１４Ｄにバネで付勢された進出体を設け、この進出体がドラグレバー１４の回動に伴って円弧状溝部７０の底面に形成した窪み７０Ｄに段階的に嵌り合う発音装置６５を設けている。
【００７５】
これによって、ドラグ調整部材５１の回動に伴って窪み９６に対して進出体９７が順次進入脱出動作を行うためその都度発音することとなり、ドラグ調整部材５１の回動位置を操作者が音で認識できる。また、窪み９６に対して進出体９７が進入する度に、ドラグ調整部材５１の回動が断続的に抵抗を受けることとなり、ドラグ調整部材５１の回動が段階的動作となり、ドラグ調整部材５１の回動操作を安定して行えるものとなる。
【００７６】
レバードラグ式リール１の左側に、釣り糸６２の繰り出しに伴うスプール１５の回転にブレーキを掛けるブレーキ装置７５を備えている。具体的には、図７に示すように、第１側板１１Ａ内にブレーキ装置７５が収容され、ブレーキ装置７５の操作部７６が第１側板１１Ａの一部である第１側板カバー１１Ｄの左側面の前上部に露出状態で配置されている。ブレーキ装置７５は、スプール１５の左側面に対し離れる方向へコイルバネ７８にて付勢された作動体７７と、第１側板１１Ａ内に回動自在に軸支持７６Ａされ、コイルバネ７８に抗して作動体７７をスプール１５のフランジ部１５Ｂの外側面へ押し圧する操作部７６を備えている。
【００７７】
通常、コイルバネ７８の付勢によって作動体７７はスプール１５の側面から離れた状態である。これと共に操作部７６の一部は、コイルバネ７８によって外方へ付勢された作動体７７によって、第１側板カバー１１Ｄの外に露出状態である。実釣の最初に行なうキャスティングとして、ジグと称される錘式のルアーを使用した釣り糸６２を釣り竿６０から略真下へ向けて垂らす際や、実釣中に釣れた魚による引きによって、釣り糸６２の繰り出しに伴ってスプール１５が回転するとき、この回転にブレーキを掛けるためには、操作部７６を操作者の左手ＬＨの親指ＬＨ１か人差し指ＬＨ２によって押し圧することにより、作動体７７の先端がスプール１５の左側面に圧接する程度によって、スプール１５の回転にブレーキが掛かる。
【００７８】
実釣中に釣針が岩等の異物に引っ掛かったときなどの異常時に、釣り竿６０の強い引き上げ操作によってその引っ掛かりを外す、または釣り糸６２を切る操作を行なう。そのために、釣り糸６２の繰り出し方向へのスプール１５の回転を停止させるストップ装置８５が、図７に示すように、レバードラグ式リール１の左側の第１側板１１Ａ内に収容されている。
【００７９】
ストップ装置８５は、スプール１５の左側面に取り付けたラチェット車（つめ車）８６の歯に対して係止と離脱を行なうロック部材８７と、ロック部材８７を操作するロック操作部８８を備えており、通常時はロック部材８７がラチェット車（つめ車）８６の歯に係止状態ではなく、ロック操作部８８が第１側板１１Ａの下部に露出するようにバネ付勢されている。そして、上記異常時には、ロック部材８７がラチェット車８６の歯に係止してスプール１５の回転を停止させるように、ロック操作部８８を回動操作する。
【００８０】
レバードラグ式リール１は、スプール１５の左フランジ部１５Ｂと第１側板１１Ａとの隙間や、スプール１５の右フランジ部１５Ｃと第２側板１１Ｂとの隙間に、釣り糸６２が侵入することを防止して、釣り糸６２がスプール１５へ案内されるようにするために、図８等に示すように、スプール１５の前面側にスプール１５から離間した状態に釣り糸ガイド９０を設けている。釣り糸ガイド９０は、スプール１５の左フランジ部１５Ｂ及び右フランジ部１５Ｃよりも外側位置において、基部９０Ａが第１側板１１Ａと第２側板１１Ｂとに取付けられ、これら基部９０Ａ間に湾曲状の釣り糸ガイド部９０Ｂを左右に一体形成した線状体で形成されている。釣り糸ガイド９０を安定保持するために、左右の釣り糸ガイド部９０Ｂの連絡部が連結部１１Ｃの溝に上部が露出する状態で嵌まり込んでいる。
【００８１】
上記の実施例は、レバードラグ式の両軸受けリールについて記載したが、他の形態の両軸受けリールについても同様の効果を発揮できるものであり、更に、本発明のハンドル装置をスピニングリールに適用しても同様の効果を発揮できるものである。即ち、スピニングリールは、スプールは回転しないが、ハンドルの回転によってスプールへ釣り糸を巻き取るように回転する回転体を設けた形態であり、両軸受けリール及びスピニングリールのいずれも、リール本体に支持されたスプールへハンドルの回転によって釣り糸を巻き取る魚釣り用リールである。このため、ハンドルは、ハンドル軸の外側端部に基部が固定されたハンドルアームと、手のひらで握持するタイプのハンドルノブ（握り部）を備え、ハンドルノブ（握り部）がハンドルアームの先端部に取付けたハンドルノブ支持軸部でもって回転自在に支持された構成であれば、両軸受けリール及びスピニングリールのいずれにも、本発明のハンドル装置は適用できるものである。それゆえ、本発明は、上記実施例に限定されず、本発明の趣旨に則る種々の実施形態の魚釣り用リールを含むものである。
【符号の説明】
【００８２】
１・・・・・・・両軸受けリール（レバードラグ式リール）
２・・・・・・・取付け脚
１１・・・・・・リール本体
１１Ａ・・・・・第１側板
１１Ｂ・・・・・第２側板
１１Ｃ・・・・・連結部
１１Ｄ・・・・・第１側板カバー
１１Ｄ２・・・・軸支持部
１１Ｄ３・・・・軸支持部
１１Ｅ・・・・・第２側板カバー
１１Ｅ１・・・・第２側板内カバー
１１Ｅ１Ｂ・・・膨出部
１１Ｅ２・・・・第２側板外カバー
１２・・・・・・ハンドル
１２Ａ・・・・・ハンドル軸
１２Ｂ・・・・・ハンドルアーム
１２Ｃ・・・・・ハンドルノブ軸
１２Ｄ・・・・・ハンドルノブ（握り部）
１２Ｄ１・・・・筒部
１２Ｅ・・・・・ハンドルノブ支持軸部
１２Ｈ・・・・・指移動阻止部
１２Ｋ・・・・・指受け部
１２Ｊ・・・・・傾斜面
１３・・・・・・ドラグ機構
１３Ａ・・・・・第１摩擦板
１３Ｂ・・・・・第２摩擦板
１４・・・・・・ドラグレバー
１５・・・・・・スプール
１６・・・・・・スプール軸
１７Ａ、１７Ｂ・・・・軸受け
２０Ａ、２０Ｂ・・・・軸受け
２２・・・・・・・メインギア
２３・・・・・・・ピニオンギア
２４、２５・・・・軸受け
２７・・・・・・第１付勢部材
２８・・・・・・第２付勢部材
３０・・・・・・カム機構
３１・・・・・・第１カム
３１Ａ・・・・・カム面
３２・・・・・・第２カム
３２Ａ・・・・・カム部
３２Ｂ・・・・・カム体
５０・・・・・・ドラグ調整装置
５１・・・・・・ドラグ調整部材
６０・・・・・・釣り竿
６２・・・・・・釣り糸
６５・・・・・・発音装置
７０・・・・・・円弧状溝部
７５・・・・・・ブレーキ装置
８０・・・・・・当接軽減部
８５・・・・・・ストップ装置
９０・・・・・・釣り糸ガイド部
９５・・・・・・発音装置
ＬＨ・・・・・左手
ＬＨ１・・・・左手の親指  
ＲＨ・・・・・右手
ＲＨ１・・・・右手の親指
ＲＨ２・・・・右手の人差し指
【図１】
2014064494.tif 000003
【図２】
2014064494.tif 000004
【図３】
2014064494.tif 000005
【図４】
2014064494.tif 000006
【図５】
2014064494.tif 000007
【図６】
2014064494.tif 000008
【図７】
2014064494.tif 000009
【図８】
2014064494.tif 000010
【図９】
2014064494.tif 000011
【図１０】
2014064494.tif 000012
【図１１】
2014064494.tif 000013
【図１２】
2014064494.tif 000014
【図１３】
2014064494.tif 000015